(57)【特許請求の範囲】
【請求項１】
記録媒体に記録されている複数の楽曲を再生する順序を示す順序パターンを作成するパターン作成手段と、
前記パターン作成手段により作成された順序パターンを記憶するパターン記憶手段と、
前記パターン記憶手段が記憶する順序パターンに示された再生順序での楽曲の再生を指示する再生指示手段と、
前記再生指示手段の指示に応じて前記パターン記憶手段が記憶する順序パターンに示された再生順序に従って前記記録媒体から楽曲を再生する再生手段とを備え、
前記パターン作成手段は、前記パターン記憶手段が記憶する順序パターンに基づいて新たな順序パターンを作成し、新たに作成する順序パターンが示す再生順番のうちの少なくとも１つに対して、前記パターン記憶手段が記憶する順序パターンを、該順序パターンが示す再生順序とは逆の順序での楽曲の再生を指示するコードと共に割り当て、前記再生手段が前記記録媒体から楽曲を再生する際、該順序パターンを割り当てた再生順番において、割り当てられた該順序パターンが示す再生順序とは逆の順序に従って楽曲を再生させる、
ことを特徴とする楽曲再生装置。
【請求項２】
記録媒体に記録されている複数の楽曲を再生する順序を示す順序パターンを作成するパターン作成手段と、
前記パターン作成手段により作成された順序パターンを記憶するパターン記憶手段と、
前記パターン記憶手段が記憶する順序パターンに示された再生順序での楽曲の再生を指示する再生指示手段と、
前記再生指示手段の指示に応じて前記パターン記憶手段が記憶する順序パターンに示された再生順序に従って前記記録媒体から楽曲を再生する再生手段とを備え、
前記パターン記憶手段は、前記パターン作成手段により作成された複数の順序パターンを記憶する手段を備え、
前記パターン作成手段は、前記パターン記憶手段が記憶する順序パターンに基づいて新たな順序パターンを作成し、新たに作成する順序パターンが示す再生順番のうちの少なくとも１つに対して、前記パターン記憶手段が記憶する複数の順序パターンのうちの少なくとも２つを、該順序パターンの組み合わせ方を指示するコードと共に割り当て、前記再生手段が前記記録媒体から楽曲を再生する際、該順序パターンを割り当てた再生順番において、割り当てられた少なくとも２つの順序パターンを該順序パターンと共に割り当てたコードが示す組み合わせ方に応じて組み合わせることにより規定される再生順序に従って楽曲を再生させる、
ことを特徴とする楽曲再生装置。
【請求項３】
前記パターン作成手段が新たに作成する順序パターンが示す再生順番のうちの少なくとも１つに順序パターンと共に割り当てるコードは、割り当てられた少なくとも２つの順序パターンが示す再生順番が増加する順に指定された楽曲を交互に再生させるための組み合わせ方を指示する、
ことを特徴とする請求項２に記載の楽曲再生装置。
【請求項４】
記録媒体に複数の区画に分割されて記録されている情報を再生する順序を示す順序パターンを作成するパターン作成手段と、
前記パターン作成手段により作成された順序パターンを記憶するパターン記憶手段と、
前記パターン記憶手段が記憶する順序パターンに示された再生順序での情報の再生を指示する再生指示手段と、
前記再生指示手段の指示に応じて前記パターン記憶手段が記憶する順序パターンに示された再生順序に従って前記記録媒体から情報を再生する再生手段とを備え、
前記パターン作成手段は、前記パターン記憶手段が記憶する順序パターンに基づいて新たな順序パターンを作成し、新たに作成する順序パターンが示す再生順番のうちの少なくとも１つに対して、前記パターン記憶手段が記憶する順序パターンを、該順序パターンが示す再生順序とは逆の順序での情報の再生を指示するコードと共に割り当て、前記再生手段が前記記録媒体から情報を再生する際、該順序パターンを割り当てた再生順番において、割り当てられた該順序パターンが示す再生順序とは逆の順序に従って情報を再生させる、
ことを特徴とする情報再生装置。
【請求項５】
記録媒体に複数の区画に分割されて記録されている情報を再生する順序を示す順序パターンを作成するパターン作成手段と、
前記パターン作成手段により作成された順序パターンを記憶するパターン記憶手段と、
前記パターン記憶手段が記憶する順序パターンに示された再生順序での情報の再生を指示する再生指示手段と、
前記再生指示手段の指示に応じて前記パターン記憶手段が記憶する順序パターンに示された再生順序に従って前記記録媒体から情報を再生する再生手段とを備え、
前記パターン記憶手段は、前記パターン作成手段により作成された複数の順序パターンを記憶する手段を備え、
前記パターン作成手段は、前記パターン記憶手段が記憶する順序パターンに基づいて新たな順序パターンを作成し、新たに作成する順序パターンが示す再生順番のうちの少なくとも１つに対して、前記パターン記憶手段が記憶する複数の順序パターンのうちの少なくとも２つを、該順序パターンの組み合わせ方を指示するコードと共に割り当て、前記再生手段が前記記録媒体から情報を再生する際、該順序パターンを割り当てた再生順番において、割り当てられた少なくとも２つの順序パターンを該順序パターンと共に割り当てたコードが示す組み合わせ方に応じて組み合わせることにより規定される再生順序に従って情報を再生させる、
ことを特徴とする情報再生装置。
【請求項６】
前記パターン作成手段が新たに作成する順序パターンが示す再生順番のうちの少なくとも１つに順序パターンと共に割り当てるコードは、割り当てられた少なくとも２つの順序パターンが示す再生順番が増加する順に指定された情報を交互に再生させるための組み合わせ方を指示する、
ことを特徴とする請求項５に記載の情報再生装置。
【発明の詳細な説明】
【０００１】
【発明の属する技術分野】
この発明は、記録媒体に記録された情報を、指定された順序に従って再生する情報再生装置と情報再生方法に係り、特に、記録された情報の再生順序を簡単に設定することができる情報再生装置と情報再生方法及びこれらを利用した楽曲再生装置に関する。
【０００２】
【従来の技術】
楽曲や映像といった情報をディジタル化して記録する記録媒体として、ＣＤ（Ｃｏｍｐａｃｔ  Ｄｉｓｃ）、ＭＤ（Ｍｉｎｉ  Ｄｉｓｃ）、ＣＤ−ＲＯＭ（ＣＤ−Ｒｅａｄ  Ｏｎｌｙ  Ｍｅｍｏｒｙ）、ＤＶＤ（Ｄｉｇｉｔａｌ  Ｖｉｄｅｏ  Ｄｉｓｃ）、携帯型フラッシュメモリ等が知られている。
【０００３】
これらの記録媒体は、従来のカセットテープやビデオテープ等のテープ状記録媒体に比べ、所望の情報に迅速にアクセスすることができる。そこで、こうした記録媒体に記録されている情報を再生する情報再生装置には、情報を再生する順序を任意に指定して、柔軟な情報再生を可能とするものがある。
【０００４】
すなわち、例えば複数のディスク状記録媒体に記録されている情報を再生する際、このような情報再生装置は、ユーザのキー入力により、楽曲や映像等の情報を再生する順序を、ディスク番号や、トラック番号を指定して任意に設定することができる。
ここで、トラック番号は、記録媒体に記録されている１曲分の楽曲情報毎や所定の分量の映像情報毎に付された、情報を識別するための番号である。
【０００５】
そして、このような情報再生装置は、設定された再生順序を記憶しておき、ユーザがキー入力部等から情報の再生を指示すると、記憶している再生順序に従って記録媒体から情報を再生する。
【０００６】
【発明が解決しようとする課題】
上記従来の情報再生装置は、情報の再生順序を指定する際、トラック番号といった記録媒体に記録されている情報を識別するためのコードを１つずつ指定して、再生する順序を設定しなければならなかった。
また、新たに設定する再生順序の一部が、既に設定した再生順序と同じである場合であっても、コードを１つずつ指定して新たな再生順序を設定しなければならず、面倒であった。
【０００７】
この発明は、上記実状に鑑みてなされたものであり、簡単な設定により記録媒体に記録された情報の再生順序を設定し、情報を柔軟に再生することができる情報再生装置、情報再生方法及びこれらを利用した楽曲再生装置を提供することを目的とする。
【０００８】
【課題を解決するための手段】
上記目的を達成するべく、この発明の第１の観点に係る楽曲再生装置は、
記録媒体に記録されている複数の楽曲を再生する順序を示す順序パターンを作成するパターン作成手段と、
前記パターン作成手段により作成された順序パターンを記憶するパターン記憶手段と、
前記パターン記憶手段が記憶する順序パターンに示された再生順序での楽曲の再生を指示する再生指示手段と、
前記再生指示手段の指示に応じて前記パターン記憶手段が記憶する順序パターンに示された再生順序に従って前記記録媒体から楽曲を再生する再生手段とを備え、
前記パターン作成手段は、前記パターン記憶手段が記憶する順序パターンに基づいて新たな順序パターンを作成し、新たに作成する順序パターンが示す再生順番のうちの少なくとも１つに対して、前記パターン記憶手段が記憶する順序パターンを、該順序パターンが示す再生順序とは逆の順序での楽曲の再生を指示するコードと共に割り当て、前記再生手段が前記記録媒体から楽曲を再生する際、該順序パターンを割り当てた再生順番において、割り当てられた該順序パターンが示す再生順序とは逆の順序に従って楽曲を再生させる、
ことを特徴とする。
【０００９】
この発明によれば、パターン作成手段は、パターン記憶手段が記憶する順序パターンに基づいて新たな順序パターンを作成することができる。
これにより、記録媒体に記録されている情報である楽曲を再生する順序を簡単に設定することができ、情報を柔軟に再生することができる。
【００１１】
また、この発明の第２の観点に係る楽曲再生装置は、
記録媒体に記録されている複数の楽曲を再生する順序を示す順序パターンを作成するパターン作成手段と、
前記パターン作成手段により作成された順序パターンを記憶するパターン記憶手段と、
前記パターン記憶手段が記憶する順序パターンに示された再生順序での楽曲の再生を指示する再生指示手段と、
前記再生指示手段の指示に応じて前記パターン記憶手段が記憶する順序パターンに示された再生順序に従って前記記録媒体から楽曲を再生する再生手段とを備え、
前記パターン記憶手段は、前記パターン作成手段により作成された複数の順序パターンを記憶する手段を備え、
前記パターン作成手段は、前記パターン記憶手段が記憶する順序パターンに基づいて新たな順序パターンを作成し、新たに作成する順序パターンが示す再生順番のうちの少なくとも１つに対して、前記パターン記憶手段が記憶する複数の順序パターンのうちの少なくとも２つを、該順序パターンの組み合わせ方を指示するコードと共に割り当て、前記再生手段が前記記録媒体から楽曲を再生する際、該順序パターンを割り当てた再生順番において、割り当てられた少なくとも２つの順序パターンを該順序パターンと共に割り当てたコードが示す組み合わせ方に応じて組み合わせることにより規定される再生順序に従って楽曲を再生させる、
ことを特徴とする。
【００１３】
より具体的には、前記パターン作成手段が新たに作成する順序パターンが示す再生順番のうちの少なくとも１つに順序パターンと共に割り当てるコードは、割り当てられた少なくとも２つの順序パターンが示す再生順番が増加する順に指定された楽曲を交互に再生させるための組み合わせ方を指示することが望ましい。
【００１４】
また、この発明の第３の観点に係る情報再生装置は、
記録媒体に複数の区画に分割されて記録されている情報を再生する順序を示す順序パターンを作成するパターン作成手段と、
前記パターン作成手段により作成された順序パターンを記憶するパターン記憶手段と、
前記パターン記憶手段が記憶する順序パターンに示された再生順序での情報の再生を指示する再生指示手段と、
前記再生指示手段の指示に応じて前記パターン記憶手段が記憶する順序パターンに示された再生順序に従って前記記録媒体から情報を再生する再生手段とを備え、
前記パターン作成手段は、前記パターン記憶手段が記憶する順序パターンに基づいて新たな順序パターンを作成し、新たに作成する順序パターンが示す再生順番のうちの少なくとも１つに対して、前記パターン記憶手段が記憶する順序パターンを、該順序パターンが示す再生順序とは逆の順序での情報の再生を指示するコードと共に割り当て、前記再生手段が前記記録媒体から情報を再生する際、該順序パターンを割り当てた再生順番において、割り当てられた該順序パターンが示す再生順序とは逆の順序に従って情報を再生させる、
ことを特徴とする。
【００１５】
この発明によれば、パターン作成手段は、パターン記憶手段が記憶する順序パターンに基づいて新たな順序パターンを作成することができる。
これにより、記録媒体に記録されている情報を再生する順序を簡単に設定することができ、情報を柔軟に再生することができる。
【００１７】
また、この発明の第４の観点に係る情報再生装置は、
記録媒体に複数の区画に分割されて記録されている情報を再生する順序を示す順序パターンを作成するパターン作成手段と、
前記パターン作成手段により作成された順序パターンを記憶するパターン記憶手段と、
前記パターン記憶手段が記憶する順序パターンに示された再生順序での情報の再生を指示する再生指示手段と、
前記再生指示手段の指示に応じて前記パターン記憶手段が記憶する順序パターンに示された再生順序に従って前記記録媒体から情報を再生する再生手段とを備え、
前記パターン記憶手段は、前記パターン作成手段により作成された複数の順序パターンを記憶する手段を備え、
前記パターン作成手段は、前記パターン記憶手段が記憶する順序パターンに基づいて新たな順序パターンを作成し、新たに作成する順序パターンが示す再生順番のうちの少なくとも１つに対して、前記パターン記憶手段が記憶する複数の順序パターンのうちの少なくとも２つを、該順序パターンの組み合わせ方を指示するコードと共に割り当て、前記再生手段が前記記録媒体から情報を再生する際、該順序パターンを割り当てた再生順番において、割り当てられた少なくとも２つの順序パターンを該順序パターンと共に割り当てたコードが示す組み合わせ方に応じて組み合わせることにより規定される再生順序に従って情報を再生させる、
ことを特徴とする。
【００１９】
より具体的には、前記パターン作成手段が新たに作成する順序パターンが示す再生順番のうちの少なくとも１つに順序パターンと共に割り当てるコードは、割り当てられた少なくとも２つの順序パターンが示す再生順番が増加する順に指定された情報を交互に再生させるための組み合わせ方を指示することが望ましい。
【００２１】
【発明の実施の形態】
以下に、図面を参照して、この発明の実施の形態に係る情報再生装置を楽曲再生装置に応用した場合について詳細に説明する。
【００２２】
図１は、この発明の実施の形態に係る楽曲再生装置１００の構成を示す図である。
この楽曲再生装置１００は、ユーザから指定された再生順序で複数の記録媒体ＲＭに記録された楽曲を再生することができる。
【００２３】
楽曲再生装置１００は、複数の記録媒体ＲＭを保持している、例えばチェンジャー等のスロット番号もしくはトレイ番号により、各記録媒体ＲＭを識別している。また、記録媒体ＲＭには、複数の楽曲が１曲毎に分割されて複数の区画に記録されており、各楽曲には曲番としてのトラック番号（Ｔｒａｃｋ  Ｎｏ．）等が付されている。
【００２４】
ここで、記録媒体ＲＭが１曲分の楽曲を記録する区画としては、物理的に区切られた記録媒体ＲＭ上の領域であってもよいし、例えばＭＤ（Ｍｉｎｉ  Ｄｉｓｃ）等においてしばしば見られるように、物理的には分離した記録媒体ＲＭ上の領域を論理的に結合することにより楽曲再生装置１００が楽曲を再生する際に１曲分として認識する、論理的に割り当てられた領域であってもよい。
【００２５】
この楽曲再生装置１００は、このような複数の記録媒体ＲＭに記録された楽曲を再生するためのものであり、図１に示すように、キー入力部１０と、表示部１１と、プログラム処理部１２と、楽曲再生処理部１３とを備えている。
【００２６】
キー入力部１０は、キーパッド等から構成され、この楽曲再生装置１００に命令を入力するためのものであり、楽曲再生装置１００が記録媒体ＲＭから楽曲を再生する順序を設定するためのデータを入力する。
【００２７】
表示部１１は、ＬＣＤ（Ｌｉｑｕｉｄ  Ｃｒｙｓｔａｌ  Ｄｉｓｐｌａｙ）等から構成され、プログラム処理部１２や楽曲再生処理部１３の処理結果を表示するためのものである。
【００２８】
プログラム処理部１２は、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を備えたＣＰＵ（Ｃｅｎｔｒａｌ  Ｐｒｏｃｅｓｓｉｎｇ  Ｕｎｉｔ）等から構成され、記録媒体ＲＭから楽曲を再生する際の再生順序を設定するためのものであり、プログラム記憶部２０を備えている。
【００２９】
プログラム記憶部２０は、プログラム処理部１２が設定した記録媒体ＲＭからの楽曲を再生する際の再生順序を、図２（ａ），（ｂ）に例示するようなプログラム表５０として記憶するためのものである。
ここで、プログラム記憶部２０は、複数のプログラム表５０をプログラムパターンとして記憶しており、楽曲再生処理部１３が複数の記録媒体ＲＭから楽曲を再生する順序を複数設定して記憶することができる。
【００３０】
プログラム表５０は、各プログラム表５０を識別するための情報であるパターン名を記録する項目「パターン名」と、記録媒体ＲＭから楽曲を再生する順番を示す項目「設定・再生順序」と、記録媒体ＲＭに記録されている楽曲のうちから再生するものを特定するための項目「記憶情報」とを備える。
そして、プログラム表５０は、図２（ａ）に例示するように、項目「記憶情報」に格納位置情報Ｄを記録したり、図２（ｂ）に例示するように、項目「記憶情報」に記録位置情報Ｔを記録したりする。
【００３１】
ここで、格納位置情報Ｄは、再生媒体や記録媒体（例えば、ＣＤ／ＭＤ／ＬＤ（Ｌａｓｅｒ  Ｄｉｓｃ）／ＤＶＤ（Ｄｉｇｉｔａｌ  Ｖｅｒｓａｔｉｌｅ  Ｄｉｓｃ）等のディスク系や、ＳＤ（Ｓｅｃｕｒｅ  Ｄｉｇｉｔａｌ）メモリーカード／メモリースティック等の固体メモリー系）全般を、再生もしくは記録する際に必要な、単一もしくは複数枚のトレーやスロット等を持つ再生（記録）装置における、ディスク番号（Ｄｉｓｃ  Ｎｏ．）やトレイ番号（Ｔｒａｙ  Ｎｏ．）、スロット番号（Ｓｌｏｔ  Ｎｏ．）等である。
すなわち、格納位置情報Ｄは、記録媒体ＲＭの格納位置を識別するための情報である。
【００３２】
また、記録位置情報Ｔは、再生媒体や記録媒体（例えば、ＣＤ／ＭＤ／ＬＤ／ＤＶＤ等のディスク系や、ＳＤメモリーカード／メモリースティック等の固体メモリー系）全般の情報管理部分上に存在しているトラック番号（Ｔｒａｃｋ  Ｎｏ．）やチャプター番号（Ｃｈａｐｔｅｒ  Ｎｏ．）、その他の情報データ（ファイル、クラスター、セクター、アドレス等）である。
すなわち、記録位置情報Ｔは、記録媒体ＲＭにおける情報（楽曲）の記録位置を識別するための情報である。
【００３３】
図２（ａ）に示すプログラム表５０では、複数の記録媒体ＲＭから楽曲再生装置１００が楽曲を再生する順番として、項目「設定・再生順序」に”Ａ１−１”から”Ａ１−６”までが固定して設定されている。また、図２（ｂ）に示すプログラム表５０では、記録媒体ＲＭから楽曲再生装置１００が楽曲を再生する順番として、項目「設定・再生順序」に”Ａ２−１”から”Ａ２−６”までが固定して設定されている。
このように、プログラム表５０には、項目「パターン名称」により区別されるプログラム表５０ごとに、再生順序を示す番号が固定して設定され、この楽曲再生装置１００が記録媒体ＲＭより１番目に再生する情報から６番目に再生する情報までを順に設定することができる。
なお、項目「設定・再生順序」として設ける欄の数は任意であり、ここでは、一例として、６つの欄を備えている場合を示している。
【００３４】
また、プログラム表５０の項目「記憶情報」は、再生する楽曲の記録位置等を登録することにより項目「設定・再生順序」に示された順番にて再生する情報を指定する。
ここで、この項目「記憶情報」には、図３（ａ），（ｂ）に示すように、格納位置情報Ｄと記録位置情報Ｔをまとめて設定することができる。
【００３５】
また、項目「記憶情報」には、再生する楽曲の記録位置のほか、例えば図４（ａ）〜（ｅ）に示すように、既にプログラム処理部１２により作成されプログラム記憶部２０に記憶されている他のプログラム表５０のパターン名を登録することができる。これにより、項目「設定・再生順序」に示された順番にて再生する情報としてプログラム記憶部２０が記憶する他のプログラム表５０に設定されている楽曲を一括して設定し、登録したパターン名のプログラム表５０に示される順番で楽曲を再生するように設定することができる。
【００３６】
楽曲再生処理部１３は、複数の記録媒体ＲＭに記録された楽曲を再生するためのものであり、キー入力部１０からの再生開始の指示に応じて、プログラム記憶部２０が記憶するプログラム表５０に示される再生順序に従って記録媒体ＲＭから楽曲を再生する。
【００３７】
以下に、上記構成を有する楽曲再生装置１００の動作を説明する。
この楽曲再生装置１００は、既に作成したプログラム表５０を利用して新たな再生順序を簡単に設定し、情報の柔軟な再生を可能とする装置である。
【００３８】
この楽曲再生装置１００は、ＣＤ（Ｃｏｍｐａｃｔ  Ｄｉｓｃ）等のＤＡＤ（Ｄｉｇｉｔａｌ  Ａｕｄｉｏ  Ｄｉｓｃ）に記録された楽曲の再生順序を設定可能な通常の楽曲再生装置と同様に、キー入力部１０からの入力により、記録媒体ＲＭから楽曲を再生する順序を設定することができる。
【００３９】
すなわち、プログラム処理部１２は、ユーザがキー入力部１０に備えられた「プログラムキー」（図示せず）を押下する等して楽曲を再生する順序の設定を指示すると、表示部１１の表示を切り換える等の所定の処理を実行して、楽曲の再生順序を設定するためのプログラムモードとなる。そして、プログラム処理部１２は、キー入力部１０からの入力に応じて、再生する楽曲を特定するためのデータをプログラム表５０の項目「記憶情報」の各欄に書き込む。
【００４０】
この際、プログラム表５０の項目「記憶情報」の各欄には、項目「設定・再生順序」に固定して設定されている再生順番に従った順に書き込みがなされ、楽曲を再生する順序が設定される。
例えば、図２（ａ）に示すプログラム表５０では、項目「記憶情報」に楽曲を特定するためのデータを書き込む際、項目「設定・再生順序」が”Ａ１−１”である欄に対応する欄から順に書き込みがなされる。
【００４１】
プログラム処理部１２は、キー入力部１０からの入力に応じて、プログラム表５０の項目「記憶情報」に、複数の記録媒体ＲＭにおいて再生する楽曲の記録位置を特定するためのデータを書き込む。
このような項目「記憶情報」に書き込まれるデータとしては、格納位置情報Ｄ、記録位置情報Ｔのほか、既にプログラム処理部１２により作成されプログラム記憶部２０に記憶されている他のプログラム表５０のパターン名がある。
【００４２】
例えば、図２（ａ）に示すようなパターン名”Ｐａｔｔｅｒｎ  Ａ１”のプログラム表５０を作成したものとする。このパターン名”Ｐａｔｔｅｒｎ  Ａ１”のプログラム表５０では、項目「記憶情報」に格納位置情報Ｄを設定して、再生する楽曲を特定している。
なお、項目「パターン名」に登録するパターン名は、ユーザがキー入力部１０を操作することにより任意のパターン名を登録可能としてもよいし、プログラム処理部１２が自動的に所定のパターン名を登録するようにしてもよい。
【００４３】
また、プログラム記憶部２０は、複数のプログラム表５０をプログラムパターンとして記憶することができ、プログラム処理部１２は、キー入力部１０からの指示に応じて、図２（ａ）に示すプログラム表５０のほか、例えば、図２（ｂ）に示すようなパターン名”Ｐａｔｔｅｒｎ  Ａ２”のプログラム表５０と、図３（ａ）に示すようなパターン名”Ｐａｔｔｅｒｎ  Ｂ１”のプログラム表５０及び図３（ｂ）に示すようなパターン名”Ｐａｔｔｅｒｎ  Ｂ２”のプログラム表５０を作成して、プログラム記憶部２０に記憶させることができる。
【００４４】
ここで、図２（ｂ）に示すパターン名”Ｐａｔｔｅｒｎ  Ａ２”のプログラム表５０では、項目「記憶情報」に、再生する楽曲を特定するためのデータとして記録位置情報Ｔを記録しており、図３（ａ）に示すパターン名”Ｐａｔｔｅｒｎ  Ｂ１”のプログラム表５０及び図３（ｂ）に示すパターン名”Ｐａｔｔｅｒｎ  Ｂ２”のプログラム表５０では、項目「記憶情報」に、格納位置情報Ｄと記録位置情報Ｔを記録している。
そして、プログラム処理部１２は、キー入力部１０によりプログラム表５０のパターン名が指定され、「再生キー」（図示せず）が押下されると、指定されたパターン名のプログラム表５０をプログラム記憶部２０から読み出し、楽曲の再生順序を規定するプログラムとして楽曲再生処理部１３に提供する。
【００４５】
楽曲再生処理部１３は、プログラム処理部１２から受けたプログラム表５０に示される再生順番に従って、順次再生する楽曲を特定して記録媒体ＲＭにアクセスし、楽曲を再生する。
【００４６】
また、この楽曲再生装置１００は、既に作成したプログラム表５０を利用して新たなプログラム表５０を作成することができる。
例えば、図２（ａ），（ｂ）及び図３（ａ），（ｂ）に示すような、パターン名が”Ｐａｔｔｅｒｎ  Ａ１”，”Ｐａｔｔｅｒｎ  Ａ２”，”Ｐａｔｔｅｒｎ  Ｂ１”，”Ｐａｔｔｅｒｎ  Ｂ２”であるプログラム表５０を作成した後、さらにユーザがキー入力部１０を操作することにより、図４（ａ）〜（ｅ）に示すようなパターン名”Ｐａｔｔｅｒｎ  Ｃ１”〜”Ｐａｔｔｅｒｎ  Ｃ５”のプログラム表５０を作成する。
【００４７】
このように、プログラム表５０の項目「記憶情報」に、プログラム記憶部２０が記憶している他のプログラム表５０のパターン名が指定された場合、プログラム処理部１２は、楽曲再生処理部１３が記録媒体ＲＭから楽曲を再生する際、その再生順番において、指定されたパターン名のプログラム表５０に設定されている再生順序で楽曲を再生させる。
【００４８】
例えば、プログラム処理部１２が図４（ａ）に示すようなパターン名”Ｐａｔｔｅｒｎ  Ｃ１”のプログラム表５０を作成した後、キー入力部１０からパターン名”Ｐａｔｔｅｒｎ  Ｃ１”のプログラム表５０に設定された再生順序での楽曲の再生を指示したとする。
【００４９】
プログラム処理部１２は、パターン名が”Ｐａｔｔｅｒｎ  Ｃ１”であるプログラム表５０の項目「設定・再生順序」が”Ｃ１−１”である欄に対応する項目「記憶情報」を読み取り、パターン名”Ｐａｔｔｅｒｎ  Ａ１”が指定されていることを特定する。プログラム処理部１２は、項目「記憶情報」にパターン名”Ｐａｔｔｅｒｎ  Ａ１”が指定されていることから、プログラム記憶部２０からパターン名”Ｐａｔｔｅｒｎ  Ａ１”のプログラム表５０を読み出し、楽曲再生処理部１３にプログラムパターンとして提供して、パターン名”Ｐａｔｔｅｒｎ  Ａ１”のプログラム表５０が示す再生順序で記録媒体ＲＭから楽曲を再生させる。
【００５０】
楽曲再生処理部１３は、パターン名”Ｐａｔｔｅｒｎ  Ａ１”のプログラム表５０を受けると、このプログラム表５０の項目「設定・再生順序」が”Ａ１−１”である欄に対応する欄から順に項目「記憶情報」を読み取って、再生する楽曲を特定する。
【００５１】
ここで、図２（ａ）に示すように、パターン名”Ｐａｔｔｅｒｎ  Ａ１”のプログラム表５０では、項目「設定・再生順序」が”Ａ１−１”である欄に対応する項目「記憶情報」に、格納位置情報Ｄとして番号”０１”が指定されている。
そこで、楽曲再生処理部１３は、１番目に再生する情報として、格納位置情報Ｄが”０１”で示される記録媒体ＲＭに記録されている全ての楽曲を、１曲目から順次特定し、記録媒体ＲＭにアクセスして楽曲を再生する。
【００５２】
楽曲再生処理部１３は、パターン名”Ｐａｔｔｅｒｎ  Ａ１”のプログラム表５０の項目「設定・再生順序」が”Ａ１−１”である欄に対応する楽曲の再生が終了すると、項目「設定・再生順序」が”Ａ１−２”である欄に対応する項目「記憶情報」を読み取る。
【００５３】
図２（ａ）に示すように、パターン名”Ｐａｔｔｅｒｎ  Ａ１”のプログラム表５０では、項目「設定・再生順序」が”Ａ１−２”である欄に対応する項目「記憶情報」に、格納位置情報Ｄとして番号”０２”が指定されている。
そこで、楽曲再生処理部１３は、２番目に再生する情報として、格納位置情報Ｄが”０２”で示される記録媒体ＲＭに記録されている全ての楽曲を、１曲目から順次特定し、記録媒体ＲＭにアクセスして楽曲を再生する。
【００５４】
以後同様にして、楽曲再生処理部１３は、パターン名”Ｐａｔｔｅｒｎ  Ａ１”のプログラム表５０を順次読み取って、項目「設定・再生順序」が”Ａ１−３”〜”Ａ１−５”である欄に対応する項目「記憶情報」に指定された格納位置情報Ｄにより特定される記録媒体ＲＭに記録されている楽曲を再生する。
【００５５】
楽曲再生処理部１３は、項目「設定・再生順序」が”Ａ１−５”である欄に対応する楽曲の再生が終了すると、項目「設定・再生順序」が”Ａ１−６”である欄に対応する項目「記憶情報」を読み取る。
しかし、この欄には楽曲の指定がされていないことから、楽曲再生処理部１３は、パターン名”Ｐａｔｔｅｒｎ  Ａ１”のプログラム表５０により設定された楽曲の再生が終了したとして、プログラム処理部１２に通知する。
これにより、パターン名”Ｐａｔｔｅｒｎ  Ｃ１”のプログラム表５０の項目「設定・再生順序」が”Ｃ１−１”である欄に対応する項目「記憶情報」に指定された情報（楽曲）の再生が終了する。
【００５６】
次に、プログラム処理部１２は、パターン名”Ｐａｔｔｅｒｎ  Ｃ１”のプログラム表５０の項目「設定・再生順序」が”Ｃ１−２”の欄に対応する項目「記憶情報」を読み取り、パターン名”Ｐａｔｔｅｒｎ  Ｂ１”が指定されていることを特定する。
プログラム処理部１２は、プログラム記憶部２０から項目「パターン名」が”Ｐａｔｔｅｒｎ  Ｂ１”であるプログラム表５０を読み出し、楽曲再生処理部１３にプログラムパターンとして提供して、パターン名”Ｐａｔｔｅｒｎ  Ｂ１”のプログラム表５０が示す再生順序で記録媒体ＲＭから楽曲を再生させる。
【００５７】
楽曲再生処理部１３は、パターン名”Ｐａｔｔｅｒｎ  Ｂ１”のプログラム表５０を受けると、このプログラム表５０の項目「設定・再生順序」が”Ｂ１−１”である欄に対応する欄から順に項目「記憶情報」を読み取って、再生する楽曲を特定する。
【００５８】
ここで、図３（ａ）に示すように、パターン名”Ｐａｔｔｅｒｎ  Ｂ１”のプログラム表５０では、項目「設定・再生順序」が”Ｂ１−１”である欄に対応する項目「記憶情報」に、格納位置情報Ｄとして番号”０１”が指定され、記録位置情報Ｔとして番号”０１”が指定されている。
そこで、楽曲再生処理部１３は、再生する情報として、格納位置情報Ｄが”０１”で示される記録媒体ＲＭに記録されている楽曲のうちから、記録位置情報Ｔが”０１”であるものを特定し、記録媒体ＲＭからその楽曲を再生する。
【００５９】
楽曲再生処理部１３は、パターン名”Ｐａｔｔｅｒｎ  Ｂ１”のプログラム表５０の項目「設定・再生順序」が”Ｂ１−１”である欄に対応する楽曲の再生が終了すると、項目「設定・再生順序」が”Ｂ１−２”である欄に対応する項目「記憶情報」を読み取る。
【００６０】
図３（ａ）に示すように、パターン名”Ｐａｔｔｅｒｎ  Ｂ１”のプログラム表５０では、項目「設定・再生順序」が”Ｂ１−２”である欄に対応する項目「記憶情報」に、格納位置情報Ｄとして番号”０２”が指定され、記録位置情報Ｔとして番号”０４”が指定されている。
そこで、楽曲再生処理部１３は、再生する情報として、格納位置情報Ｄが”０２”で示される記録媒体ＲＭに記録されている楽曲のうちから、記録位置情報Ｔが”０４”であるものを特定し、記録媒体ＲＭからその楽曲を再生する。
【００６１】
以後同様にして、楽曲再生処理部１３は、パターン名”Ｐａｔｔｅｒｎ  Ｂ１”のプログラム表５０を順次読み取って、項目「設定・再生順序」が”Ｂ１−３”〜”Ｂ１−５”である欄に対応する項目「記憶情報」に指定された格納位置情報Ｄにより特定される記録媒体ＲＭに記録されている楽曲を再生する。
【００６２】
楽曲再生処理部１３は、項目「設定・再生順序」が”Ｂ１−５”である欄に対応する楽曲の再生が終了すると、項目「設定・再生順序」が”Ｂ１−６”である欄に対応する項目「記憶情報」を読み取る。
しかし、この欄には楽曲の指定がされていないことから、楽曲再生処理部１３は、パターン名”Ｐａｔｔｅｒｎ  Ｂ１”のプログラム表５０により設定された楽曲の再生が終了したとして、プログラム処理部１２に通知する。
これにより、パターン名”Ｐａｔｔｅｒｎ  Ｃ１”のプログラム表５０の項目「設定・再生順序」が”Ｃ１−２”である欄に対応する項目「記憶情報」に指定された情報（楽曲）の再生が終了する。
【００６３】
プログラム処理部１２は、パターン名”Ｐａｔｔｅｒｎ  Ｃ１”のプログラム表５０の項目「設定・再生順序」が”Ｃ１−３”である欄に対応する項目「記憶情報」に楽曲や他のプログラム表５０を示すパターン名が指定されていないことから、指定された楽曲を全て再生したとして、楽曲の再生を終了する。
【００６４】
このように、プログラム表５０に２つのパターン名”Ｐａｔｔｅｒｎ  Ａ１”と”Ｐａｔｔｅｒｎ  Ｂ１”を設定するだけで、この２つのパターン名のプログラム表５０に設定されている楽曲を設定されている順序で再生させることができる。
【００６５】
この他、プログラム処理部１２は、キー入力部１０からの指示に応じて、例えば図４（ｂ）〜（ｅ）に示すようなプログラム表５０を作成してプログラム記憶部２０に記憶しておき、キー入力部１０からパターン名を指定されて楽曲の再生を開始する旨の指示を受けると、指定されたパターン名に応じたプログラム表５０に設定された順番で、楽曲再生処理部１３に楽曲を再生させることもできる。なお、プログラム表５０に他のプログラム表５０のパターン名を指定する際の組み合わせは、図４（ａ）〜（ｅ）に示されるものに限られるものではなく、様々な組み合わせが可能である。
【００６６】
以上説明したように、この発明によれば、新たなパターンのプログラム表５０を作成する際に、既にプログラム記憶部２０に記憶されている他のプログラム表５０を用いて、１つの再生順番で再生する情報として、他のプログラム表５０が示す楽曲を一括して指定することができる。
これにより、記録媒体から情報を再生する順序を簡単に設定することができる。
【００６７】
上記実施の形態では、プログラム表５０の項目「記憶情報」には、プログラム記憶部２０が記憶するプログラム表５０のパターン名のみを登録して、登録したパターン名のプログラム表５０が示す再生順序で楽曲を再生するようにしたが、これに限定されず、既に作成したプログラム表５０を利用して、さらに多様な再生順序の設定を行うこともできる。
【００６８】
例えば、項目「記憶情報」にプログラム記憶部２０が記憶するプログラム表５０のパターン名を登録する際、登録するパターン名のプログラム表５０に設定されている順序とは逆の順序で各楽曲を再生するように登録できるようにしてもよい。
【００６９】
図５（ａ）〜（ｄ）は、このような登録を行ったプログラム表５０を例示する図である。
図５（ａ）に示すパターン名”Ｐａｔｔｅｒｎ  Ｙ１”のプログラム表５０は、項目「設定・再生順序」が”Ｙ１−１”である欄に対応する項目「記憶情報」に、コード”Ｒｅｖ．Ｐａｔｔｅｒｎ  Ａ１”が設定されている。このコード”Ｒｅｖ．Ｐａｔｔｅｒｎ  Ａ１”は、図２（ａ）に示したパターン名”Ｐａｔｔｅｒｎ  Ａ１”のプログラム表５０に設定されている楽曲を、設定されている順序とは逆の順序で再生することを示す。
【００７０】
そして、キー入力部１０によりこのパターン名”Ｐａｔｔｅｒｎ  Ｙ１”のプログラム表５０が指定され、「再生キー」（図示せず）が押下されると、プログラム処理部１２は、パターン名が”Ｐａｔｔｅｒｎ  Ｙ１”であるプログラム表５０の項目「設定・再生順序」が”Ｙ１−１”である欄に対応する項目「記憶情報」を読み取り、コード”Ｒｅｖ．Ｐａｔｔｅｒｎ  Ａ１”が指定されていることを特定する。プログラム処理部１２は、項目「記憶情報」にコード”Ｒｅｖ．Ｐａｔｔｅｒｎ  Ａ１”が指定されていることから、プログラム記憶部２０からパターン名”Ｐａｔｔｅｒｎ  Ａ１”のプログラム表５０を読み出して楽曲再生処理部１３に提供すると共に、プログラム表５０により規定される順番とは逆の順番で楽曲を再生する旨を通知する。
【００７１】
楽曲再生処理部１３は、パターン名”Ｐａｔｔｅｒｎ  Ａ１”のプログラム表５０を、逆順で再生する旨の通知と共に受けると、このプログラム表５０の項目「記憶情報」を、項目「設定・再生順序」により規定される順番とは逆の順番で読み取って、指定された楽曲を再生する。
【００７２】
すなわち、楽曲再生処理部１３は、パターン名”Ｐａｔｔｅｒｎ  Ａ１”のプログラム表５０の項目「設定・再生順序」が”Ａ１−６”である欄に対応する欄から順に項目「記憶情報」を読み取って、再生する楽曲を特定する。
【００７３】
ここで、図２（ａ）に示したように、パターン名”Ｐａｔｔｅｒｎ  Ａ１”のプログラム表５０では、項目「設定・再生順序」が”Ａ１−６”である欄に対応する項目「記憶情報」に、楽曲の指定がなされていない。
そこで、楽曲再生処理部１３は、パターン名”Ｐａｔｔｅｒｎ  Ａ１”のプログラム表５０の項目「設定・再生順序」が”Ａ１−５”である欄に対応する項目「記憶情報」を読み取る。
【００７４】
図２（ａ）に示したように、パターン名”Ｐａｔｔｅｒｎ  Ａ１”のプログラム表５０では、項目「設定・再生順序」が”Ａ１−５”である欄に対応する項目「記憶情報」に、格納位置情報Ｄとして番号”０５”が指定されている。
そこで、楽曲再生処理部１３は、再生する情報として、格納位置情報Ｄが”０５”で示される記録媒体ＲＭに記録されている全ての楽曲を、１曲目から順次特定し、記録媒体ＲＭにアクセスして楽曲を再生する。
なお、楽曲再生処理部１３は、プログラム処理部１２から逆順で楽曲を再生する旨の通知を受けていることから、格納位置情報Ｄが”０５”で示される記録媒体ＲＭに記録されている全ての楽曲を、最終曲から順に逆順で特定して再生してもよい。
【００７５】
楽曲再生処理部１３は、パターン名”Ｐａｔｔｅｒｎ  Ａ１”のプログラム表５０の項目「設定・再生順序」が”Ａ１−５”である欄に対応する楽曲の再生が終了すると、項目「設定・再生順序」が”Ａ１−４”である欄に対応する項目「記憶情報」を読み取る。
【００７６】
図２（ａ）に示したように、パターン名”Ｐａｔｔｅｒｎ  Ａ１”のプログラム表５０では、項目「設定・再生順序」が”Ａ１−４”である欄に対応する項目「記憶情報」に、格納位置情報Ｄとして番号”０４”が指定されている。
そこで、楽曲再生処理部１３は、再生する情報として、格納位置情報Ｄが”０４”で示される記録媒体ＲＭに記録されている全ての楽曲を、１曲目から順次特定し、記録媒体ＲＭにアクセスして楽曲を再生する。
なお、楽曲再生処理部１３は、プログラム処理部１２から逆順で楽曲を再生する旨の通知を受けていることから、格納位置情報Ｄが”０４”で示される記録媒体ＲＭに記録されている全ての楽曲を、最終曲から順に逆順で特定して再生してもよい。
【００７７】
以後同様にして、楽曲再生処理部１３は、パターン名”Ｐａｔｔｅｒｎ  Ａ１”のプログラム表５０を順次読み取って、項目「設定・再生順序」が”Ａ１−１”〜”Ａ１−３”である欄に対応する項目「記憶情報」を逆の順序で読み取って、指定された格納位置情報Ｄにより特定される記録媒体ＲＭに記録されている楽曲を再生する。
【００７８】
楽曲再生処理部１３は、項目「設定・再生順序」が”Ａ１−１”である欄に対応する楽曲の再生が終了すると、パターン名”Ｐａｔｔｅｒｎ  Ａ１”のプログラム表５０により設定された楽曲の再生が終了したとして、プログラム処理部１２に通知する。
【００７９】
次に、プログラム処理部１２は、パターン名”Ｐａｔｔｅｒｎ  Ｙ１”のプログラム表５０の項目「設定・再生順序」が”Ｙ１−２”の欄に対応する項目「記憶情報」を読み取り、パターン名”Ｐａｔｔｅｒｎ  Ｙ１”が指定されていることを特定する。
プログラム処理部１２は、プログラム記憶部２０から項目「パターン名」が”Ｐａｔｔｅｒｎ  Ｂ１”であるプログラム表５０を読み出し、楽曲再生処理部１３にプログラムパターンとして提供する。
【００８０】
楽曲再生処理部１３は、パターン名”Ｐａｔｔｅｒｎ  Ｂ１”のプログラム表５０を逆順で再生する旨の通知を受けることなく受け取ると、このプログラム表５０に示された順序で楽曲を再生する。
【００８１】
楽曲再生処理部１３がパターン名”Pattern B1”のプログラム表５０に示された順序での楽曲の再生を終了すると、プログラム処理部１２は、指定された全ての楽曲を再生したとして、楽曲の再生を終了する。
このように、既に作成したプログラム表５０を利用しつつ、そのプログラム表５０の設定とは異なる順序で楽曲を再生することを登録することができるようにしてもよく、これにより、より多様な楽曲の再生を簡単に設定することができる。
【００８２】
なお、この他、プログラム処理部１２は、キー入力部１０からの指示に応じて、例えば図５（ｂ）〜（ｄ）に示すようなプログラム表５０を作成してプログラム記憶部２０に記憶しておき、キー入力部１０からパターン名を指定されて楽曲の再生を開始する旨の指示を受けると、指定されたパターン名に応じたプログラム表５０に設定された順番で、楽曲再生処理部１３に楽曲を再生させることもできる。
ここで、プログラム表５０に他のプログラム表５０のパターン名を指定する際の組み合わせは、図５（ａ）〜（ｄ）に示されるものに限られるものではなく、様々な組み合わせが可能である。
【００８３】
さらに、この他にも、例えば、プログラム表５０の項目「記憶情報」に、プログラム記憶部２０が記憶する複数のプログラム表５０を利用した再生順序を示すコードを登録できるようにしてもよい。
【００８４】
図６（ａ）〜（ｄ）は、このような登録を行ったプログラム表５０を例示する図である。
図６（ａ）に示すパターン名”Ｐａｔｔｅｒｎ  Ｚ１”のプログラム表５０は、項目「設定・再生順序」が”Ｚ１−１”である欄に対応する項目「記憶情報」に、コード”Ｐａｔｔｅｒｎ  Ａ１  Ｃｒｏｓｓ  Ｐａｔｔｅｒｎ  Ｂ１”が設定されている。このコード”Ｐａｔｔｅｒｎ  Ａ１  Ｃｒｏｓｓ  Ｐａｔｔｅｒｎ  Ｂ１”は、パターン名”Ｐａｔｔｅｒｎ  Ａ１”のプログラム表５０に設定されている楽曲と、パターン名”Ｐａｔｔｅｒｎ  Ｂ１”のプログラム表５０に設定されている楽曲とを、項目「設定・再生順序」が増加する順に交互に再生することを示す。
【００８５】
そして、キー入力部１０によりこのパターン名”Ｐａｔｔｅｒｎ  Ｚ１”のプログラム表５０が指定され、「再生キー」（図示せず）が押下されると、プログラム処理部１２は、パターン名が”Ｐａｔｔｅｒｎ  Ｚ１”であるプログラム表５０の項目「設定・再生順序」が”Ｚ１−１”である欄に対応する項目「記憶情報」を読み取り、コード”Ｐａｔｔｅｒｎ  Ａ１  Ｃｒｏｓｓ  Ｐａｔｔｅｒｎ  Ｂ１”が指定されていることを特定する。プログラム処理部１２は、項目「記憶情報」にコード”Ｐａｔｔｅｒｎ  Ａ１  Ｃｒｏｓｓ  Ｐａｔｔｅｒｎ  Ｂ１”が指定されていることから、プログラム記憶部２０からパターン名”Ｐａｔｔｅｒｎ  Ａ１”のプログラム表５０とパターン名”Ｐａｔｔｅｒｎ  Ｂ１”のプログラム表５０を読み出して楽曲再生処理部１３に提供すると共に、２つのプログラム表５０に指定されている楽曲を交互に再生する旨を通知する。
【００８６】
楽曲再生処理部１３は、パターン名”Ｐａｔｔｅｒｎ  Ａ１”のプログラム表５０及びパターン”Ｐａｔｔｅｒｎ  Ｂ１”のプログラム表５０を、楽曲を交互に再生する旨の通知と共に受けると、２つのプログラム表５０の項目「記憶情報」を、項目「設定・再生順序」により規定される順番で交互に読み取って、指定された楽曲を再生する。
【００８７】
すなわち、楽曲再生処理部１３は、パターン名”Ｐａｔｔｅｒｎ  Ａ１”のプログラム表５０の項目「設定・再生順序」が”Ａ１−１”である欄に対応する項目「記憶情報」に指定された楽曲を再生すると、パターン名”Ｐａｔｔｅｒｎ  Ｂ１”のプログラム表５０の項目「設定・再生順序」が”Ｂ１−１”である欄に対応する項目「記憶情報」に指定された楽曲を再生する。
【００８８】
このようにして、楽曲再生処理部１３は、パターン名”Ｐａｔｔｅｒｎ  Ａ１”のプログラム表５０と、パターン名”Ｐａｔｔｅｒｎ  Ｂ１”のプログラム表５０に指定されている楽曲を、再生順序が増加する順に交互に再生させる。
このように、項目「記憶情報」の１つの欄に、プログラム記憶部２０が記憶する複数のプログラム表５０を利用して設定した再生順序を登録できるようにしてもよく、これにより、より多様な楽曲の再生を簡単に設定することができる。
【００８９】
なお、この他、プログラム処理部１２は、キー入力部１０からの指示に応じて、例えば図６（ｂ）〜（ｄ）に示すようなプログラム表５０を作成してプログラム記憶部２０に記憶しておき、キー入力部１０からパターン名を指定されて楽曲の再生を開始する旨の指示を受けると、指定されたパターン名に応じたプログラム表５０に設定された順番で、楽曲再生処理部１３に楽曲を再生させることもできる。
ここで、プログラム表５０に他のプログラム表５０のパターン名を指定する際の組み合わせは、図６（ａ）〜（ｄ）に示されるものに限られるものではなく、様々な組み合わせが可能である。
【００９０】
また、この発明は、楽曲の再生に限定されず、様々な情報の再生に応用可能である。例えば、映像情報を記録した記録媒体から映像を再生する際に、再生順序を指定して映像の再生を行う場合にも適用可能である。
【００９１】
【発明の効果】
以上の説明のように、この発明は、既に設定した再生順序を利用して新たな再生順序を設定することができる。
これにより、情報を再生する順序を簡単に設定することができ、記録媒体に記録されている情報をより柔軟に再生することができる。
【図面の簡単な説明】
【図１】この発明の実施の形態に係る楽曲再生装置の構成を示す図である。
【図２】プログラム表の一例を示す図である。
【図３】プログラム表の一例を示す図である。
【図４】プログラム表の一例を示す図である。
【図５】この発明の実施の形態の変形例におけるプログラム表の一例を示す図である。
【図６】この発明の実施の形態の変形例におけるプログラム表の一例を示す図である。
【符号の説明】
１０    キー入力部
１１    表示部
１２    プログラム処理部
１３    楽曲再生処理部
２０    プログラム記憶部
５０    プログラム表
１００    楽曲再生装置
ＲＭ    記録媒体
【図１】
0003607136.tif 000002
【図２】
0003607136.tif 000003
【図３】
0003607136.tif 000004
【図４】
0003607136.tif 000005
【図５】
0003607136.tif 000006
【図６】
0003607136.tif 000007